(57)【要約】【課題】デジタル放送視聴時に受信地域を移動した場合は新たに選局をする必要はあるが、選局操作を簡単で短時間に行うためには放送受信機能に加えてＧＰＳなどの位置検出用の装置が必要であり、バッテリー寿命や小型軽量化が重要なファクターとなる携帯型受信装置等においては大きな課題となっていた。【解決手段】デジタル放送受信装置に、各受信地域の放送局一覧情報、各放送局が属する系列局情報、および地域識別情報から構成される放送局の系列局に関する系列局情報等を記憶させておき、ある地域の放送局名、あるいは系列を代表する放送局名が指定された時に、この受信機に記憶されている情報を参照して、受信した放送波から取得した現在地の受信地域情報に基づいて指定された放送事業者と同系列のチャンネルを自動的に選局することを可能とする。【選択図】図１
2006074640.tif 000002
【特許請求の範囲】
【請求項１】
放送局から送出されるデジタル放送波を受信する受信手段と、
前記受信手段により受信した放送波から地域識別情報を取得する地域識別情報取得手段と、各放送局の系列局情報と規格で定められた受信地域ごとの放送局情報とを記憶する情報記憶手段と、
特定の系列局を指定する系列局指定手段とを備えたデジタル放送受信装置であって、
前記地域識別情報取得手段で取得した地域識別情報と、前記情報記憶手段において記憶されている情報から抽出された前記デジタル放送受信装置が存在する受信地域の前記放送局情報と、前記情報記憶手段において記憶されている情報から抽出された前記系列局指定手段において指定された系列局の前記系列局情報とに基づき、前記デジタル放送受信装置が存在する受信地域において受信に適した放送局を選択する放送局選択手段と、
前記放送局選択手段により選択された放送局の放送波を受信するように、前記受信手段を制御する受信制御手段と
を備えたことを特徴とするデジタル放送受信装置。
【請求項２】
前記系列局指定手段は、規格で定められた特定受信地域における各系列局に該当する放送局の放送局名か、各系列局を代表する放送局名か、利用者が任意に作成した周波数テーブルかのいずれかにより指定できることを特徴とする請求項１記載のデジタル放送受信装置。
【請求項３】
前記地域識別情報取得手段は、放送局が送出する放送波から、映像や音声などの放送コンテンツに加えて、放送波に割り付けられる地域識別子を読み出すことを特徴とする請求項１記載のデジタル放送受信装置。
【発明の詳細な説明】
【技術分野】
【０００１】
本発明は、デジタル放送受信装置に関するもので、放送局から送出される情報を有効に活用することで、一般的なデジタル放送受信装置が備える基本機能に加え、有効な選局方法を利用者に提供するものである。
【背景技術】
【０００２】
デジタル放送は移動体受信装置や携帯受信装置による視聴も可能であり、その場合、利用者の移動に伴い受信地域が変化することが想定されるが、受信地域が変化すると、地域ごとの系列局放送周波数の違いから番組視聴状態を維持できなくなる可能性がある。
【０００３】
このような場合、利用者が続けて同じ番組を視聴するための方法としては、利用者が物理的にチャンネルを順番に変更しながら、放送波の有無や受信した番組の内容等を確認し、目的とする番組を探し出すという方法がある。
【０００４】
あるいは、物理的にチャンネルを順番に変更する代わりに、利用者が、現在地において受信可能な周波数のテーブルを呼び出し、その呼び出したテーブルに含まれる受信可能な周波数を順番に設定しながら受信した番組の内容を確認し、目的とした番組を探し出すという方法がある。
【０００５】
しかし、これらの方法はいずれも、目的とする番組を探し出すために多くの手間と時間を要するという課題があった。これらの方法を改善する方法として、車載用ナビゲーションシステムなどの特定の位置検出装置を用いて現在地を特定し、現在地がどの受信地域に属するかを判別する地図データを利用することで、受信地域ごとの系列局周波数マップから系列局を容易に選局する技術が特許文献１に示されている。
【０００６】
この特許文献１に示されているチャンネル設定方法では、利用者が何度もチャンネルを切り替え、番組内容が目的の内容であるか否かを確認／判断する手間や時間を大幅に短縮することができる。
【特許文献１】特開２０００−３１２１５７号公報
【発明の開示】
【発明が解決しようとする課題】
【０００７】
しかしながら、特許文献１に示されているような従来のチャンネル設定方法では、デジタル放送を受信して視聴するために基本的に必要となる装置に加えて、ＧＰＳ（Ｇｌｏｂａｌ Ｐｏｓｉｔｉｏｎｉｎｇ Ｓｙｓｔｅｍ）などの位置検出用の装置を実装することになるが、これらの付加装置を実装することは消費電力の増大に繋がり、結果としてバッテリー駆動時の連続視聴時間が短くなるなど、電力供給が大幅に限定される携帯受信装置にとっては致命的な問題があった。
【０００８】
また、携帯受信装置の場合は、利用者自身が携帯受信装置を持ち運ぶ必要があることから、できるだけ小型・軽量であることが望まれるが、ＧＰＳなどの位置検出用の装置を実装することは、小型化・軽量化の面から制約を受ける可能性があった。
【０００９】
本発明は、デジタル放送を受信して視聴するために基本的に必要とされる装置のみによって、受信地域が変化した場合でも、利用者が目的とする番組やチャンネルを容易に選択する手段を備え、構成的に消費電力の低減や小型化、軽量化が期待できる受信装置を提供することを目的とする。
【課題を解決するための手段】
【００１０】
上記の課題を解決するために、本発明に係るデジタル放送受信装置は、放送局から送出されるデジタル放送波を受信する受信手段と、前記受信手段により受信した放送波から地域識別情報を取得する地域識別情報取得手段と、各放送局の系列局情報と規格で定められた受信地域ごとの放送局情報とを記憶する情報記憶手段と、特定の系列局を指定する系列局指定手段とを備えたデジタル放送受信装置であって、前記地域識別情報取得手段で取得した地域識別情報と、前記情報記憶手段において記憶されている情報から抽出された前記デジタル放送受信装置が存在する受信地域の前記放送局情報と、前記情報記憶手段において記憶されている情報から抽出された前記系列局指定手段において指定された系列局の前記系列局情報とに基づき、前記デジタル放送受信装置が存在する受信地域において受信に適した放送局を選択する放送局選択手段と、前記放送局選択手段により選択された放送局の放送波を受信するように、前記受信手段を制御する受信制御手段とを備えたことを特徴とするものである。
【００１１】
また、本発明に係るデジタル放送受信装置における前記系列局指定手段は、規格で定められた特定受信地域における各系列局に該当する放送局の放送局名か、各系列局を代表する放送局名か、利用者が任意に作成した周波数テーブルかのいずれかにより指定できることを特徴とするものである。
【００１２】
また、本発明に係るデジタル放送受信装置における前記地域識別情報取得手段は、放送局が送出する放送波から、映像や音声などの放送コンテンツに加えて放送波に割り付けられる地域識別子を読み出すことを特徴とするものである。
【発明の効果】
【００１３】
デジタル放送では、視聴コンテンツと共に放送事業者が属する受信地域を特定できる情報等が同時に送出されているが、以上のように構成された本発明に係るデジタル放送受信装置は、放送局から送出される視聴コンテンツ以外の上記情報を活用することにより、ＧＰＳなどの現在地を特定するための位置検出の装置や、現在地から受信地域を特定するための地図データを保持する大容量記憶装置等を必要とせず、デジタル放送を受信するために基本的に必要とされる装置のみによって、利用者の移動に伴い受信地域が変化した場合でも番組視聴状態を維持することができる。
【発明を実施するための最良の形態】
【００１４】
以下、本発明に係る実施の形態を、図面を参照しながら説明する。
【００１５】
（実施の形態）
図１は、本発明の実施の形態に係るデジタル放送受信装置の構成を示すブロック図であり、図２は、図１に示すデジタル放送受信装置の一構成ブロックである操作手段３の構成例を示す概略図であり、図３は規格で定められた受信地域においてサービスを行う放送局を表した放送局データベースの一例を示す図である。
【００１６】
図１において、１はデジタル放送を視聴するための受信手段であり、受信手段１は、利用者が所望する放送局の放送波を受信する放送局選択手段１１と、放送局選択手段１１が受信した信号を映像信号、音声信号および各種放送波識別子など様々な情報信号に分離する受信信号処理手段１２と、受信信号処理手段１２で分離された音声信号を出力する音声出力手段１３、および受信信号処理手段１２で分離された映像信号を出力する映像出力手段１４とで構成される。
【００１７】
４は制御手段であり、マイクロコンピュータ等で構成される。この制御手段４は、デジタル受信装置が存在する受信地域において受信に適した放送局を選択する放送局選択手段や、この放送局選択手段により選択された放送局の放送波を受信するように受信手段１を制御する受信制御手段を含み、以下のような制御処理を行う。受信信号処理手段１２で分離され、地域識別情報取得手段１５で取得された地域識別情報及び情報記憶手段２に記憶されている放送局データベースに基づき、現在デジタル放送受信装置が存在する地域でサービスを行う放送局に関する放送局一覧情報の読み出し処理や、情報記憶手段２に記憶されている放送局データベースに基づき、利用者が操作手段３で指示した放送局が該当する系列局情報の読み出し処理や、操作手段３からの指示に応じた映像出力手段１４の表示内容の変更処理、および放送局一覧情報と系列局情報から、デジタル放送受信装置が存在する地域において指定された放送局と同じ系列局に該当する放送局を選択するための処理等を行う。
【００１８】
情報記憶手段２に記憶されている放送局データベースには、規格で定められた受信地域ごとにサービスを行う放送局の放送局名や、規格で定められた該当する系列局情報（図４にその一例を示す）、および放送局／系列局の放送周波数などのデータが記憶されている。
【００１９】
利用者が各種操作／指示を行う操作手段３は、機能として特定の系列局を指定する系列局指定手段を含み、視聴画面５と、視聴画面５に表示された放送局の指定方法や放送局一覧から利用者が特定の項目を選択するための指示等を行う項目選択キー６と、現在選択中の項目を採用することを決定するための決定キー７とで構成される。尚、操作手段３は赤外線等を利用したリモコンとリモコンからの入力に応じて映像出力手段１４の表示内容の変更処理を行うリモコン画像制御部とで構成し、表示画像に応じてリモコンを操作することで処理を行う構成にすることも可能である。
【００２０】
図５は、本発明の実施の形態に係るデジタル放送受信装置の制御手段４が行う処理のフローチャートである。図６は、本発明の実施の形態に係るデジタル放送受信装置において、規格で定められた受信地域とその地域に対応付けられた放送局一覧表から系列局を指定するための、操作手段３における視聴画面５に表示された表示画面の一例を示すものであり、（a）は地区選択画面の表示例、（b）は（a）で選択された地区に属する規格で定めた受信地域選択画面の表示例（この場合は（a）において「近畿」が選択された場合の画面）、（c）は（b）で選択された受信地域においてサービスを行うと規格で定めた放送局の選択画面の表示例（この場合は（b）において「大阪」が選択された場合の画面）である。図７は、系列を代表する放送局名から系列局を指定するための、操作手段３における視聴画面５に表示された表示画面の一例を示すものである。図８は、利用者が任意に放送局を登録して作成した周波数テーブル（図８ではチャンネルリストと表示）から系列局を指定するための、操作手段３における視聴画面５に表示された表示画面の一例を示すものである。
【００２１】
以下、デジタル放送受信装置の制御手段４が行う処理について図面を参照しながら説明する。尚、本実施例では、大阪に住んでいる利用者が出先の東京において、大阪でサービスを行う放送局名、系列を代表する放送局名、大阪で利用している周波数テーブルを利用して選局指示を行い、指示された放送局と東京において同系列で対応する放送局を選局する場合について説明する。
【００２２】
図５において、まずステップS１１では、利用者が系列局を指定する方法を選択するための画面（図２）を視聴画面５に表示するように映像出力手段１４に指示し、利用者が項目選択キー６及び決定キー７を用いて入力するキー入力に従い必要に応じて表示内容を変更させるように映像出力手段１４を制御する。ステップS１１において系列局指定方法が選択されるとステップS１２に移るが、ここでいう系列局指定方法の選択とは、利用者が現在地（東京）における放送局を、規格で定められた特定の受信地域に属する放送局と対応して知りたいか、系列を代表する放送局名と対応して知りたいか、あるいは地元（大阪）において普段視聴するために作成した周波数テーブルに登録されている放送局と対応して知りたいかを選択するものであり、この系列局指定方法の選択は、項目選択キー６と決定キー７によって設定される。
【００２３】
ステップS１２では、ステップS１１で設定された系列局指定方法を判別し、規格で定められた受信地域とその地域に対応付けられた放送局一覧表からの指定であればステップS１３に移り、系列を代表する放送局名からの指定であればステップS１６に移り、利用者が任意に放送局を登録して作成した周波数テーブルからの指定であればステップS１７に移る。
【００２４】
ステップS１３では、地域の放送局一覧を表示するにあたって、規格で定められた受信地域を選択するための第一段階として、いくつかの受信地域をまとめた地区名を視聴画面５に表示（図６（ａ））するように映像出力手段１４に指示し、利用者が項目選択キー６及び決定キー７を用いて入力するキー入力に従い必要に応じて表示内容を変更させるよう映像出力手段１４を制御する。地区名の選択は、例えば、利用者が地元（大阪）でサービスを行うと規格で定められた放送局の一覧を参照して、現在地（東京）においてサービスを行うと規格で定められた放送局と系列局の対応をとる場合には、地元（大阪）が属する地区である「近畿」を選択する。このようにして特定の地区名が選択されるとステップS１４に移る。
【００２５】
ステップS１４では、ステップS１３で選択／設定された地区名に基づき、情報記憶手段２に記憶されている放送局データベースを検索して、該地区と対応する受信地域名を視聴画面５に表示（図６（b））するよう映像出力１４に指示する。利用者が項目選択キー６及び決定キー７を用いて入力するキー入力に従い必要に応じて表示内容を変更させるよう映像出力手段１４を制御する。受信地域名の選択は、例えば、利用者が地元（大阪）においてサービスを行うと規格で定められた放送局の一覧を参照するために「大阪」を選択する。このようにして特定の受信地域名が選択されるとステップS１５に移る。尚、受信地域の指定については「近畿」等の地区名を用いた階層的な指定方法以外に、受信地域名の一覧から直接指定する方法なども可能である。
【００２６】
ステップS１５では、ステップS１４で選択／設定された受信地域に基づき、情報記憶手段２に記憶されている放送局データベースを検索して、該受信地域においてサービスを行うと規格で定められた放送局の中で、いずれかの系列に属する放送局名の一覧を視聴画面５に表示（図６（c））するよう映像出力手段１４に指示する。利用者が項目選択キー６及び決定キー７を用いて入力するキー入力に従い必要に応じて表示内容を変更させるよう映像出力手段１４を制御する。同系列の放送局の選択は、例えば、利用者が現在地（東京）において、地元（大阪）でサービスが行われている「よみうりテレビ」と同系列の放送局を選局したい場合は、視聴画面５に表示された放送局一覧から「よみうりテレビ」を選択する。このようにして特定の放送局名が選択されるとステップS１９に移る。
【００２７】
一方、ステップS１６では、情報記憶手段２に記憶されている放送局データベースを検索して、系列を代表する代表系列局名の一覧を視聴画面５に表示（図７）するように映像出力手段１４に指示する。利用者が項目選択キー６及び決定キー７を用いて入力するキー入力に従い必要に応じて表示内容を変更させるように映像出力手段１４を制御し、特定の代表系列局名が選択されるとステップS１９に移る。
【００２８】
また、ステップS１７では、利用者が作成し、デジタル放送受信装置に保存されている周波数テーブル（図８ではチャンネルリストと表記）を視聴画面５に表示するように映像出力手段１４に指示し、利用者が項目選択キー６及び決定キー７を用いて入力するキー入力に従い必要に応じて表示内容を変更させるよう映像出力手段１４を制御する。視聴画面５に表示された周波数テーブルから特定の放送局名が選択されるとステップS１８に移る。
【００２９】
ステップS１８では、ステップS１７で選択された放送局がいずれかの系列に属する放送局であるか独立局であるかを判別し、いずれかの系列に属する放送局である場合はステップS１９に移り、独立局である場合はステップS１７に移る。具体的な例で言うと、ステップS１７において、利用者が日本テレビ放送網の名で代表される系列局に該当する「よみうりテレビ」を選択した場合はステップS１９に移り、独立局である「サンテレビ」を選択した場合はステップS１７に移る。
【００３０】
次に、ステップS１９では、ステップS１５、ステップS１６およびステップS１７のいずれかで選択された放送局に基づき、情報記憶手段２に記憶されている放送局データベースを検索して選択された放送局が属する系列局を特定し、ステップS２０に移る。
【００３１】
ステップS２０では、現在デジタル放送受信装置が放送波を受信しているかどうかを判別し、放送波を受信していればステップS２３へ移り、受信していなければステップS２１へ移る。
【００３２】
ステップS２１では、物理的にチャンネルを順番にスキャンするなどして、現在地において受信可能な周波数を検索するように放送局選択手段１１に指示し、ステップS２２に移る。
【００３３】
ステップS２２では、ステップS２１での検索の結果として受信可能な放送波を検出できたかどうかを判別し、受信可能な放送波が存在する場合はステップS２３に移り、受信可能な放送波が存在しなかった場合は現在地においては放送を受信できないものとして処理を終了する。
【００３４】
ステップS２３では、受信可能な放送波から地域識別情報を取得し、この地域識別情報に基づき情報記憶手段２に記憶されている放送局データベースを検索して現在地に対応する受信地域を特定し、ステップS２４に移る。なお、現在地に対応する受信地域を特定する方法は、複数の受信地域においてサービスが行われる（関東広域、関西広域など）ことを意味する識別情報を除いて、異なる複数の地域識別情報が取得された場合は、その中で最も受信強度の大きな放送波に対応する地域識別情報に基づいて現在地に対応する受信地域を特定する。
【００３５】
ステップS２４では、ステップS１９で特定した系列局情報に基づき、情報記憶手段２に記憶されている放送局データベースを検索して、ステップS２３で特定した受信地域でサービスを行うと規格で定められた放送局の一覧から対応する系列に属する放送局を検索し、ステップS２５に移る。
【００３６】
ステップS２５では、ステップS２４で検索した結果、現在地に対応する受信地域においてサービスを行うと規格で定められた放送局の一覧の中に、ステップS１９で特定した系列局に対応する放送局が存在するかどうかを判別し、対応する放送局が存在する場合はステップS２６に移る。対応する放送局が特定される具体例としては、現在地（東京）において、ステップS１５、またはステップS１７で「よみうりテレビ」が選択された場合、あるいはステップS１６で「日本テレビ放送網」が選択された場合は、よみうりテレビ、日本テレビ放送網と同じ系列に該当する「日本テレビ」が対応する放送局として特定される。また、対応する放送局が存在しない場合は、現在地の受信地域において対応する系列局が存在しないと判断して処理を終了する。
【００３７】
ステップS２６では、ステップS２５で特定した放送局を受信するように放送局選択手段１１に指示し、処理を終了する。
【００３８】
以上のように、情報記憶手段２に記憶されている放送局データベースから参照できる利用者が指定した放送局の系列局情報と、デジタル放送サービスにおいて送出される放送波中に存在する情報および放送局データベースに基づき、移動先の現在地においてサービスが行われる放送局情報から系列局の対応をとることにより、デジタル放送を受信して視聴するために基本的に必要となる装置のみによって、受信地域が変化した場合でも、利用者が目的とする番組やチャンネルを容易に選択することができ、小型軽量で低消費電力のデジタル放送受信装置を提供することができる。
【産業上の利用可能性】
【００３９】
本発明に係るデジタル放送受信装置は、デジタル放送を受信／視聴するために基本的に必要な装置のみで、利用者の移動に伴う選局機能を、煩わしくかつ多くの時間を要する操作を必要とすることなく実現できるので、特にバッテリー寿命、小型化、軽量化が重要視される携帯型デジタル放送受信装置等として有用である。
【図面の簡単な説明】
【００４０】
【図１】本発明の実施の形態に係るデジタル放送受信装置の構成を示すブロック図
【図２】図１に示すデジタル放送受信装置の一構成ブロックである操作手段の構成例を示す概略図
【図３】規格で定められた受信地域においてサービスを行う放送局を表した放送局データベースの一例を示す図
【図４】放送局が該当する系列局の情報に係る規格で定められたaffiliation_idの一例を示す図
【図５】本発明の実施の形態に係るデジタル放送受信装置の制御手段が行う処理のフローチャート
【図６】本発明の実施の形態に係るデジタル放送受信装置において、規格で定められた受信地域とその地域に対応付けられた放送局一覧表から系列局を指定するための、操作手段における視聴画面に表示される表示画面例を示す図
【図７】系列を代表する放送局名から系列局を指定するための、操作手段における視聴画面に表示される表示画面例を示す図
【図８】利用者が任意に放送局を登録して作成した周波数テーブルから系列局を指定するための、操作手段における視聴画面に表示された表示画面例を示す図
【符号の説明】
【００４１】
１  受信手段
２  情報記憶手段
３  操作手段
４  制御手段
５  視聴画面
６  項目選択キー
７  決定キー
１１  放送局選択手段
１２  受信信号処理手段
１３  音声出力手段
１４  映像出力手段
１５  地域識別情報取得手段
【図１】
2006074640.tif 000003
【図２】
2006074640.tif 000004
【図３】
2006074640.tif 000005
【図４】
2006074640.tif 000006
【図５】
2006074640.tif 000007
【図６】
2006074640.tif 000008
【図７】
2006074640.tif 000009
【図８】
2006074640.tif 000010